(57)【要約】  入力信号に基づき映像を表示する表示部４と、映像のパラメータを調整する映像調整部３３と、前記映像のパラメータを調整する領域を選択する領域選択部３１とを備える。表示部は、選択された領域の映像から、パラメータを調整する前の第１映像３１ａおよび調整を行うための第２映像３１ｂを構成し、第１映像と第２映像を上下または左右に並べて表示するとともに、第１映像と第２映像のいずれかを上下または左右に反転表示することが可能である。映像調整部３３（映像調整用パラメータ表示画面）の彩度調整バー３４、色相調整バー３５、明度調整バー３６を操作して、第２映像３１ｂを変化させ、所望の映像が得られたときに決定することで、調整内容が映像全体に反映される。第１映像または第２映像を上下または左右に反転表示することにより、人間の視覚特性の影響を排除し、正確な画質調整が可能である。
2009050846.tif 000002
【特許請求の範囲】
【請求項１】
入力信号に基づき映像を表示する表示部と、
前記映像のパラメータを調整する映像調整部と、
前記映像のパラメータを調整する領域を選択する領域選択部とを備え、
前記表示部は、
前記選択された領域の映像から、パラメータを調整する前の第１映像および調整を行うための第２映像を構成し、前記第１映像と前記第２映像を上下または左右に並べて表示するとともに、
前記第１映像と前記第２映像のいずれかを上下または左右に反転表示することが可能であることを特徴とする画像表示装置。
【請求項２】
前記パラメータには明度が含まれる請求項１記載の画像表示装置。
【請求項３】
前記選択した領域の左右または上下の輝度差を検出する輝度差検出部を備え、前記検出した輝度差に基づき、上下または左右に反転表示するか否かが制御される請求項１記載の画像表示装置。
【請求項４】
前記選択した領域の左右または上下の色差を検出する色差検出部を備え、前記検出した色差に基づき、上下または左右に反転表示するか否かが制御される請求項１記載の画像表示装置。
【請求項５】
前記表示部は、前記第１映像と前記第２映像の間に、全体映像の水平または垂直画素数の１／２０〜１／１０画素の幅の境界線を表示する請求項１記載の画像表示装置。
【請求項６】
前記表示部は、前記第１映像または前記第２映像の外周部に、全体映像の水平または垂直画素数の１／２０〜１／１０の画素の幅の隔離枠を設けて表示する請求項１記載の画像表示装置。
【請求項７】
前記表示手段は、前記第１映像または前記第２映像を、両映像の境界線に向かう方向に移動させ、重なり合う部分を削除することで、比較したい箇所を近接させて表示する請求項１記載の画像表示装置。
【請求項８】
入力信号に基づき映像を表示する表示ステップと、
前記映像のパラメータを調整する映像調整ステップと、
前記映像のパラメータを調整する領域を選択する領域選択ステップとを備え、
前記表示ステップでは、
前記選択された領域の映像から、パラメータを調整する前の第１映像と調整を行うための第２映像を構成し、前記第１映像と前記第２映像を上下または左右に並べて表示するとともに、
前記第１映像と前記第２映像のいずれかを上下または左右に反転表示することを特徴とする画像表示方法。
【発明の詳細な説明】
【技術分野】
【０００１】
本発明は、画像を出力するプロジェクタ装置などの画像表示装置、及び画像表示方法に関し、特に映像調整を容易にするための技術に関する。
【背景技術】
【０００２】
従来、プロジェクタ装置などの画像表示装置においては、映像を表示して、ユーザーが映像を好みの映像に調整する際に、調整前の映像と調整用の映像とを比較できるように表示し、調整用の映像を調整した結果を補正データとして表示映像に反映することが行われている。【０００３】
このような映像調整に関する技術の一つに、特許文献１に開示されている映像補正システムがある。図１１は、特許文献１に開示されている映像補正システムの表示画面を示す図である。【０００４】
図に示すように、画面上で色補正やノイズ除去を行うための手段として、参照用ウィンドウＲＷと作業用ウィンドウＷＷの２つの画面を並べて表示する。２つの画面を見比べながら、操作ツールバーＴＢを使用して補正作業を行う。これから補正する画像を作業用ウィンドウＷＷに表示させ、参照用ウィンドウＲＷには関連する正常なフレームよりデータを貼り付けて、補正作業を行う。【０００５】
このようにして、ユーザーにとってわかりやすく簡単な操作で映像の調整を行うことができ、また、位置や色の不安定性も簡単に補正することができる。
【特許文献１】特開２００２−２６２２１８号公報
【発明の開示】
【発明が解決しようとする課題】
【０００６】
しかしながら、上記従来のような補正方法では、映像の対比による視覚的効果により、補正を行う映像が補正前の映像の影響を受けてしまい、正確な補正が行えないという問題があった。映像の対比による視覚的効果とは、例えば暗から明のグラデーションを有する映像であれば、２つの映像が接する明の部分はより明るく感じられることである。【０００７】
人間が物を見る状態を考慮する際には、視覚効果を考えなければならない。特許文献１のように、単純に画面上に作業用ウィンドウと参照用ウィンドウを表示させ、作業用ウィンドウに補正を加えるだけでは、人間の視覚特性の影響により参照用ウィンドウと補正前の作業用ウィンドウでは同じ画像にはならない。従って、正確な映像調整をすることが困難である。【０００８】
このような視覚効果による影響は、プロジェクタ装置などの大画面表示を行う画像表示装置において特に顕著になる。【０００９】
上記問題に鑑み、本発明は、調整のために対比する映像を左右または上下に並べて表示するときに、人間の視覚特性の影響を排除して、正確な画質調整をする事が可能な画像表示装置及び画像表示方法を提供することを目的とする。
【課題を解決するための手段】
【００１０】
上記従来の課題を解決するために、本発明の画像表示装置は、入力信号に基づき映像を表示する表示部と、前記映像のパラメータを調整する映像調整部と、前記映像のパラメータを調整する領域を選択する領域選択部とを備え、前記表示部は、前記選択された領域の映像から、パラメータを調整する前の第１映像および調整を行うための第２映像を構成し、前記第１映像と前記第２映像を上下または左右に並べて表示するとともに、前記第１映像と前記第２映像のいずれかを上下または左右に反転表示することが可能であることを特徴とする。【００１１】
本発明の画像表示方法は、入力信号に基づき映像を表示する表示ステップと、前記映像のパラメータを調整する映像調整ステップと、前記映像のパラメータを調整する領域を選択する領域選択ステップとを備え、前記表示ステップでは、前記選択された領域の映像から、パラメータを調整する前の第１映像と調整を行うための第２映像を構成し、前記第１映像と前記第２映像を上下または左右に並べて表示するとともに、前記第１映像と前記第２映像のいずれかを上下または左右に反転表示することを特徴とする。
【発明の効果】
【００１２】
上記構成の画像表示装置または画像表示方法によれば、第１映像と第２映像のいずれかを上下または左右に反転表示することにより、映像同士の同じ箇所が近接するため、人間の視覚特性の影響が軽減され、正確な映像調整が可能になる。
【図面の簡単な説明】
【００１３】
【図１】画像表示装置としてプロジェクタ装置を使用した画像表示システムの構成を示す斜視図
【図２】プロジェクタ装置の斜視図
【図３】本発明の実施の形態１のプロジェクタ装置の表示回路を示すブロック図
【図４】同プロジェクタ装置の映像表示画面を示す図
【図５】同プロジェクタ装置の映像調整画面を示す図
【図６】同プロジェクタ装置の他の映像調整画面を示す図
【図７】同プロジェクタ装置の更に他の映像調整画面を示す図
【図８】本発明の実施の形態２または３のプロジェクタ装置の映像調整画面を示す図
【図９】本発明の実施の形態４のプロジェクタ装置の映像調整画面を示す図
【図１０】本発明の実施の形態５のプロジェクタ装置の映像調整画面を示す図
【図１１】従来の画像表示装置における表示画面を示す図
【符号の説明】
【００１４】
１  プロジェクタ装置
２  パーソナルコンピュータ
３  映像ケーブル
４  スクリーン
５  ＶＩＤＥＯ端子
６  Ｓ−ＶＩＤＥＯ端子
７  ＲＧＢ／ＹＰｂＰｒ入力端子
８  リモコン受光部
９  投写レンズ
１０  方向キー
１１  決定ボタン
１２  外光センサ
１３  リモートコントローラ
１４  表示回路
１５  入力セレクタ
１６  Ｙ／Ｃ分離回路
１７  カラーデコーダ
１８  マトリクス回路
１９  入力セレクタ
２０  入力セレクタ
２１  Ａ／Ｄコンバータ
２２  リサイズ・フリーズ・オンスクリーン発生回路
２３  輝度差検出回路
２４  色差検出回路
２５  色補正回路
２６  メインマイコン
２７  外部インタフェース
２８ａ〜２８ｃ  デジタル相展開回路
２９ａ〜２９ｃ  ＬＣＤパネル
３０  パネル駆動ＩＣ
３１  領域選択枠
３１ａ、３１ｃ  第１映像
３１ｂ、３１ｄ  第２映像
３２、３７、３９  境界線
３３  映像調整用パラメータ表示画面
３４  彩度調整バー
３５  色相調整バー
３６  明度調整バー
３８ａ、３８ｂ  検出領域
４０  隔離枠
【発明を実施するための最良の形態】
【００１５】
本発明は、上記構成を基本として、以下のような態様をとることができる。【００１６】
すなわち、上記構成の画像表示装置において、前記パラメータには明度を含むことが好ましい。最も視覚効果の影響が大きい明度を調整することにより、正確な映像調整が可能である。【００１７】
また、前記選択した領域の左右または上下の輝度差を検出する輝度差検出部を備え、前記検出した輝度差に基づき、上下または左右に反転表示するか否かが制御されることが好ましい。それにより、映像調整する際の映像表示を適切に行うことができる。【００１８】
また、前記選択した領域の左右または上下の色差を検出する色差検出部を備え、前記検出した色差に基づき、上下または左右に反転表示するか否かが制御されることが好ましい。それにより、映像調整する際の映像表示を適切に行うことができる。【００１９】
また、前記表示部は、前記第１映像と前記第２映像の間に、全体映像の水平または垂直画素数の１／２０〜１／１０画素の幅の境界線を表示することが好ましい。並べた映像を所定幅隔離して表示することにより、人間の視覚特性の影響がさらに軽減される。【００２０】
また前記表示部は、前記第１映像または前記第２映像の外周部に、全体映像の水平または垂直画素数の１／２０〜１／１０の画素の幅の隔離枠を設けて表示することが好ましい。全体映像から所定幅隔離して表示することにより、人間の視覚特性の影響がさらに軽減される。【００２１】
また、前記表示手段は、前記第１映像または前記第２映像を、両映像の境界線に向かう方向に移動させ、重なり合う部分を削除することで、比較したい箇所を近接させて表示することが好ましい。【００２２】
以下、本発明に係る画像表示装置及び画像表示方法の実施の形態について、プロジェクタ装置を例にとり、図面を参照しながら説明する。【００２３】
（実施の形態１）
図１は、画像表示装置としてプロジェクタ装置を使用した画像表示システムを示す構成図である。図２は、同プロジェクタ装置の外観図、図３は本発明の実施の形態１に係るプロジェクタ装置の表示回路を示すブロック図である。【００２４】
図１に示すように、画像表示システムにおけるプロジェクタ装置１は、映像ケーブル３を用いてパーソナルコンピュータ２と接続されている。プロジェクタ装置１には、パーソナルコンピュータ２が出力する映像信号が、映像ケーブル３を介して伝送される。伝送された映像信号は信号処理されて、内蔵された液晶パネル（図示せず）に展開されてスクリーン４に投影される。【００２５】
プロジェクタ装置１の筐体には、一例として図２に示すように、ＶＩＤＥＯ端子５、Ｓ−ＶＩＤＥＯ端子６、ＲＧＢ／ＹＰｂＰｒ端子７、リモコン受光部８、投写レンズ９、方向キー１０、決定ボタン１１、及び外光センサ１２が設けられている。ＲＧＢ／ＹＰｂＰｒ入力端子７により、パーソナルコンピュータ２が出力する輝度信号Ｙ、色差信号Ｐｂ、色差信号Ｐｒの伝送を受ける。外光センサ１２は、プロジェクタ装置１の周囲の外光照度を検出する。リモートコントローラ１３は、プロジェクタ装置１を離れた位置から操作するために使用され、プロジェクタ装置１の方向キー１０や、決定ボタン１１と同じ操作を行うことができるキー、ボタンが設けられている。【００２６】
パーソナルコンピュータ２が出力する映像信号が表す画像の解像度は、以下の説明では、１画面に１０２４×７６８個の画素を含むＸＧＡ（Ｅｘｔｅｎｄｅｄ  Ｇｒａｐｈｉｃｓ  Ａｒｒａｙ）の場合を例とする。また、プロジェクタ装置１は、各画素について、最低輝度から最高輝度までを１０２４階調で表す仕様に基づく構成を例とする。【００２７】
次に、本発明の実施の形態１におけるプロジェクタ装置１の表示回路１４について、詳細ブロック図である図３を参照しながら説明する。【００２８】
ＶＩＤＥＯ端子５は、ＮＴＳＣ方式のコンポジットビデオ信号を入力するための端子である。Ｓ−ＶＩＤＥＯ端子６は、Ｓビデオ信号を入力するための端子である。ＲＧＢ／ＹＰｂＰｒ端子７は、ＲＧＢ信号またはＹＰｂＰｒ信号を入力するための端子である。【００２９】
入力セレクタ１５は、ＶＩＤＥＯ端子５から入力されたコンポジットビデオ信号、Ｓ−ＶＩＤＥＯ端子６から入力されたＳビデオ信号の内から、何れかの信号を選択する機能を有する。【００３０】
Ｙ／Ｃ分離回路１６は、カラーデコーダ１７によって入力されたコンポジットビデオ信号を、Ｙ信号とＣ信号とに分離するための回路である。カラーデコーダ１７は、Ｙ／Ｃ分離された信号、または入力されたＹ／Ｃ信号をＹＰｂＰｒ信号にカラーデコードする機能を有する。【００３１】
マトリクス回路１８は、ＲＧＢ／ＹＰｂＰｒ端子７から入力されたＹＰｂＰｒ信号をＲＧＢ信号へ変換する際に、マトリクス処理を行う機能を有する。入力セレクタ１９は、ＲＧＢ／ＹＰｂＰｒ端子７から入力されたＲＧＢ信号、マトリクス回路１８によって生成されたＲＧＢ信号の内から、何れかの信号を選択する機能を有する。【００３２】
入力セレクタ２０は、カラーデコーダ１７によって生成されたＹＰｂＰｒ信号、入力セレクタ１９によって入力されたＲＧＢ信号の内から、何れかのアナログ信号を選択する機能を有する。Ａ／Ｄコンバータ２１は、入力セレクタ２０によって選択されたアナログ信号を、１０ｂｉｔのデジタル信号へＡ／Ｄコンバートする機能を有する。【００３３】
リサイズ・フリーズ・オンスクリーン発生回路２２は、Ａ／Ｄコンバータ２１によってＡ／Ｄコンバートされたデジタル信号を、後述するＬＣＤ（Ｌｉｑｕｉｄ  Ｃｒｙｓｔａｌ  Ｄｉｓｐｌａｙ）パネル２９ａ〜２９ｃの画素数に応じてリサイズし、オンスクリーンを重畳させる機能を有する。また、この回路は映像の画質調整する機能も含んでいる。【００３４】
輝度差検出回路２３、色差検出回路２４は、リサイズ・フリーズ・オンスクリーン発生回路２２が出力した映像データ内の輝度差、および色差をそれぞれ検出する回路である。色補正回路２５は、リサイズ・フリーズ・オンスクリーン発生回路２２が出力した映像データの色を補正する回路である。【００３５】
メインマイコン２６は、電源（図示省略）制御、ファン（図示省略）制御、温度制御、入力切り換え制御など装置全体のあらゆる制御を行うとともに、色補正回路２５の制御を行う。外部インタフェース２７は、ＰＣなどの外部入力装置からの制御信号等を通信する部分である。【００３６】
デジタル相展開回路２８ａ〜２８ｃは、ＬＣＤパネル２９ａ〜２９ｃの駆動ドライバ（図示省略）の動作速度に対応させて、デジタル信号を相展開するための機能を有する。パネル駆動ＩＣ（Ｉｎｔｅｇｒａｔｅｄ  Ｃｉｒｃｕｉｔ）３０は、ＬＣＤパネル２９ａ〜２９ｃを駆動するための機能を有する。【００３７】
ＬＣＤパネル２９ａ〜２９ｃは、色補正回路２５によって色補正され、デジタル相展開回路２８ａ〜２８ｃによって相展開されたデジタル信号をカラー表示する。ＬＣＤパネル２９ａ〜２９ｃに表示されたデジタル信号は、投写レンズ９（図２参照）により、スクリーン４に投影される。【００３８】
次に、本実施の形態のプロジェクタ装置１における、投影表示された映像の調整方法について、映像表示画面を示す図４〜図７を参照して説明する。【００３９】
まず、図３に示す表示回路１４および図２に示す投写レンズ９により、図１に示すスクリーン４に映像が投影表示される。その後、表示映像内の調整したい領域を選択するための領域選択枠３１が表示される。その領域選択枠３１を、図２に示すプロジェクタ装置１の方向キー１０やリモートコントローラ１３を操作して移動させ、調整しようとする部分に合致したら決定ボタン１１やリモートコントローラ１３で確定する。【００４０】
それにより、領域選択枠３１により選択された領域の映像から、パラメータ調整する前の第１映像３１ａと、映像調整を行う為の第２映像３１ｂが構成され、スクリーン４の表示が図５に示す状態になる。この図では、境界線３２を境に、左側にパラメータ調整する前の第１映像３１ａが、右側に映像調整を行う為の第２映像３１ｂが表示されている。【００４１】
左側の第１映像３１ａは、左右反転して表示されている。右側の第２映像３１ｂには、映像調整手段として映像調整用パラメータ表示画面３３が表示される。映像調整用パラメータ表示画面３３は、彩度（色の濃さ）調整バー３４、色相（色あい）調整バー３５、明度（明るさ）調整バー３６を備えている。【００４２】
これらの調整バーを、方向キー１０やリモートコントローラ１３を操作して動かすと、右側の第２映像３１ｂが変化し、ユーザーが望む映像になったときに、決定ボタン１１やリモートコントローラ１３で決定する事で、調整内容が映像全体に反映される。【００４３】
例えば、ユーザーが空の色をもっと明るく、かつ鮮やかにしたいと思えば、明度調整バー３６と彩度調整バー３４を操作する事で、所望の映像にする事が出来る。【００４４】
ここで左側の第１映像３１ａを左右反転させているのは、パラメータを調整する前の映像と、調整を行うための映像を並べた時に、人間の視覚特性の影響で異なった映像に見える事があるからである。【００４５】
例えば、特に大画面において顕著であるが、人間は明るさの差が大きい映像を並べて表示されると、暗い映像はより暗く、明るい映像はより明るく感じる特性がある。これに対して、一方の映像を反転させることにより、映像同士の同じ箇所が近接するため、明るさに差がなく、それぞれの映像が近接する他方の映像の影響を受けることがなくなる。【００４６】
上述の説明では、一例として、一方の映像を左右反転する構成を示したが、図６のように、映像の選択範囲によっては、上下の境界線３７に対して、調整する前の第１映像３１ｃと調整を行う為の映像３１ｄを上下に並べてもよい。この場合は、一方の映像を上下反転することにより、上述と同様の効果が得られる。また、反転する映像としては、調整する前の映像、または調整を行う為の映像のどちらを選択してもよい。【００４７】
以上のように、本実施の形態の画像処理装置であるプロジェクタ装置は、入力された映像に対して、映像のパラメータを調整する映像調整手段と、映像の調整する領域を選択する領域選択手段とを備える。選択された領域を、パラメータを調整する前の映像と、調整を行うための映像として、上下または左右に並べて表示するとともに、並べて表示した映像のいずれかを上下または左右に反転表示することで、ユーザーが、望む画質調整を正確に行うことが可能となる。【００４８】
また図７のように、左右に並べた映像を境界線３２に向かって移動させ、重なり合う部分を削除することで、比較したい箇所を近接させるようにすることもできる。上下に並べる場合も同様である。【００４９】
（実施の形態２）
本発明の実施形態２の画像処理装置であるプロジェクタ装置は、実施の形態１のプロジェクタ装置と基本構成は同じである。すなわち、入力された映像を表示する表示回路１４を備え、映像のパラメータを調整する映像調整手段としての映像調整用パラメータ表示画面３３と、映像の調整する領域を選択する領域選択手段である領域選択枠３１とを表示する。表示回路１４は更に、選択された領域を、パラメータを調整する前の第１映像３１ａと、調整を行うための第２映像３１ｂとして、上下または左右に並べて表示するとともに、並べて表示した映像のいずれかを上下または左右に反転させる動作が可能である。【００５０】
本実施の形態では、第１映像３１ａと第２映像３１ｂを並べて表示する際に、上下または左右の反転を一律には行わない点が、実施の形態１と相違する。すなわち、映像の状態に応じて反転を行う。【００５１】
以下、本実施の形態について、実施の形態１のプロジェクタ装置との相違点を中心に説明する。図８は、本実施の形態のプロジェクタ装置における映像調整画面を示す図である。【００５２】
実施の形態１との相違は、以下のとおりである。すなわち、このプロジェクタ装置では、選択した領域の左右または上下に検出領域３８ａ、３８ｂが設けられ、この検出領域３８ａ、３８ｂの輝度差が検出される。そして、検出された輝度差に応じて、一方の映像の上下または左右を反転するかしないかが決定される。【００５３】
次に、本実施の形態で使用する輝度差検出方法について説明する。まず、境界線３２より右側の第２映像３１ｂに対して、その映像の左右の検出領域３８ａ、３８ｂの輝度差を、輝度差検出回路２３（図３参照）において検出する。その輝度差が所定値より大きい場合にのみ、一方の映像を左右反転し、輝度差が所定値以下の場合は反転しないように制御する。それにより、視覚的に異なった映像に見えない状態を確保する。【００５４】
例えば、表示解像度がＸＧＡの場合（水平１０２４、垂直７６８画素）、調整を行う為に選択した領域（領域選択枠３１内の領域）の大きさを、水平５１１画素、垂直７６８画素とする。この映像の左右の検出領域３８ａ、３８ｂの大きさを、水平１０２画素、垂直７６８画素とする。【００５５】
例えば、左右それぞれの検出領域３８ａ、３８ｂの加算平均した輝度がそれぞれ、２５６／１０２４階調、５１３／１０２４階調とすると、その輝度差は２５７／１０２４階調となる。例えば所定値を１９２／１０２４階調と設定した場合、輝度差が所定値より大きいので、第１映像３１ａを左右に反転して表示する。【００５６】
一方、検出領域３８ａ、３８ｂの加算平均した輝度がそれぞれ、２５６／１０２４階調、１２８／１０２４階調とすると、その輝度差は１２８／１０２４階調となる。従って、輝度差が所定値の１９２／１０２４階調よりも小さいので、第１映像３１ａを左右に反転しないでそのまま表示する。【００５７】
以上のように、本実施の形態の画像処理装置によれば、選択した領域の左右または上下の輝度差を検出する手段を備え、検出した輝度差に応じて、一方の映像を上下または左右に反転するかしないかを選択する事で、ユーザーが簡単または正確に映像調整を行うことができる。【００５８】
なお、本実施の形態では一例としてＸＧＡの解像度を前提として説明したが、他の解像度の場合でも同様の効果が得られる。また、本実施の形態では、輝度が１０２４階調の場合を例として説明したが、２５６階調、あるいは他の階調でも、同様に効果を得ることができる。【００５９】
（実施の形態３）
本発明の実施形態３の画像処理装置であるプロジェクタ装置は、実施の形態２のプロジェクタ装置と基本構成は同じである。本実施の形態においても、パラメータを調整する前の第１映像３１ａと調整を行うための第２映像３１ｂを並べて表示する際に、上下または左右を反転する操作を一律には行わず、映像の状態に応じて反転を行う。【００６０】
以下、本実施の形態について、実施の形態２のプロジェクタ装置との相違点を中心に説明する。本実施の形態のプロジェクタ装置における映像調整画面を示す図は、実施の形態２の図８と同様である。但し、選択した領域の左右または上下の検出領域３８ａ、３８ｂを、色差を検出する領域とし、検出した色差に応じて、一方の映像を上下または左右に反転するかしないかが決定される点が、実施の形態２のプロジェクタ装置と異なる。【００６１】
次に、本実施の形態で使用する色差検出方法について説明する。まず、境界線３２より右側の第２映像３１ｂに対して、その映像の左右の検出領域３８ａ、３８ｂの色差を、色差検出回路２４にて検出する。その色差が所定値より大きい場合にのみ、一方の映像を左右反転し、色差が所定値以下の場合は反転しないように制御する。それにより、視覚的に異なった映像に見えない状態を確保する。【００６２】
例えば、表示解像度がＸＧＡの場合（水平１０２４垂直７６８画素）、調整を行う為に選択した領域の大きさを、水平５１１画素、垂直７６８画素とする。この映像の左右の検出領域３８ａ、３８ｂの大きさを、水平１０２画素、垂直７６８画素とする。【００６３】
例えば、左側の検出領域３８ａの加算平均した色について、Ｒｅｄが２５６／１０２４階調、Ｇｒｅｅｎが０／１０２４階調、Ｂｌｕｅが０／１０２４階調であり、同様に右側検出領域３８ｂにおいては、Ｒｅｄが０／１０２４階調、Ｇｒｅｅｎが０／１０２４階調、Ｂｌｕｅが２５６／１０２４階調とする。この場合の色差は、Ｒｅｄが２５６／１０２４階調、Ｇｒｅｅｎが０／１０２４階調、Ｂｌｕｅが２５６／１０２４階調となる。例えば所定値を１９２／１０２４階調としていた場合、ＲｅｄとＢｌｕｅの色差が大きいので、第１映像３１ａを左右に反転して表示する。【００６４】
一方、左側の検出領域３８ａの加算平均した色について、Ｒｅｄが２５６／１０２４階調、Ｇｒｅｅｎが０／１０２４階調、Ｂｌｕｅが０／１０２４階調であり、同様に右側検出領域３８ｂにおいては、Ｒｅｄが１２８／１０２４階調、Ｇｒｅｅｎが０／１０２４階調、Ｂｌｕｅが１２８／１０２４階調とすると、その色差は１２８／１０２４階調となる。この場合は、色差が所定値の１９２／１０２４階調よりも小さいので、第１映像３１ａを左右に反転しないでそのまま表示する。【００６５】
以上のように、本実施の形態の画像処理装置によれば、選択した領域の左右または上下の色差を検出する手段を備え、検出した色差に応じて、一方の映像を上下または左右に反転するかしないかを選択する事で、ユーザーが簡単または正確に映像調整を行うことができる。【００６６】
なお、本実施の形態では一例としてＸＧＡの解像度を前提としたが、他の解像度の場合でも同様の効果が得られる。また、本実施の形態では、輝度が１０２４階調の場合を例として説明したが、２５６階調でも他の階調でも、同様に効果を得ることができる。また、本実施の形態では、Ｒｅｄ、Ｇｒｅｅｎ、Ｂｌｕｅの色で比較した場合を説明したが、Ｙ、Ｐｂ、Ｐｒでも同様に本発明を適用できる。【００６７】
（実施の形態４）
本発明の実施形態４の画像処理装置であるプロジェクタ装置は、実施の形態１のプロジェクタ装置と基本構成は同じである。【００６８】
すなわち、入力された映像を表示する表示回路１４を備え、映像のパラメータを調整する映像調整手段としての映像調整用パラメータ表示画面３３と、映像の調整する領域を選択する領域選択手段である領域選択枠３１とを表示する。表示回路１４は更に、選択された領域を、パラメータを調整する前の第１映像３１ａと、調整を行うための第２映像３１ｂとして、上下または左右に並べて表示するとともに、並べて表示した映像のいずれかを上下または左右に反転させる動作が可能である。本実施の形態では、映像調整画面の形態が、実施の形態１の場合と相違する。【００６９】
以下、本実施の形態について、実施の形態１のプロジェクタ装置との相違点を中心に説明する。図９は、実施の形態４のプロジェクタ装置における映像調整画面を示す図である。実施の形態１の画像処理装置と異なるところは、境界線３９の幅を広げ、水平または垂直画素数の１／２０〜１／１０の画素数の幅とした点である。【００７０】
次に、本実施の形態における水平または垂直画素数の境界線３９について説明する。例えば、ＸＧＡの場合（水平１０２４垂直７６８画素）に、水平画素数の１／１０画素である１０２画素の幅の境界線３９を表示する。そして、第１映像３１ａと第２映像３１ｂを、境界線３９の左右に表示する。【００７１】
これは、２つの映像を近接させて表示した場合、互いに異なる明度や彩度の部分に影響を受けてしまうことが考えられるので、それを回避するためである。【００７２】
また、明るさや色の濃さの差が大きくなるような調整を行うと、視覚的効果により、実際より差が大きく見えてしまい、正確に調整ができなくなる。このような問題も、境界線３９で２つの映像を隔離することにより回避可能である。【００７３】
この場合の境界線３９の幅としては、表示全体の水平または垂直画素数の１／２０〜１／１０画素になるようにすることが望ましい。【００７４】
以上のように、本実施の形態の画像処理装置によれば、境界線３９により、並べた映像を近接させず所定幅だけ隔離して表示することにより、２つの映像が互いに影響を受けることが軽減されるため、ユーザーは正確な映像調整をする事ができる。【００７５】
なお、さらに映像に視覚的な影響を与えないようにするためには、境界線３９の色は無彩色に近い色の方が望ましい。【００７６】
また、本実施の形態では一例としてＸＧＡの解像度を前提にして説明したが、他の解像度の場合でも同様の効果が得られる。【００７７】
（実施の形態５）
本発明の実施形態５の画像処理装置であるプロジェクタ装置は、実施の形態１の画像処理装置と基本構成は同じである。【００７８】
以下、本実施の形態について、実施の形態１のプロジェクタ装置との相違点を中心に説明する。図１０は、実施の形態５のプロジェクタ装置における映像調整画面を示す図である。実施の形態１の画像処理装置と異なるところは、映像の外周部に所定幅の隔離枠４０を設けた点である。【００７９】
次に、本実施の形態における映像外周の隔離枠４０について説明する。例えば、ＸＧＡの場合（水平１０２４垂直７６８画素）に、水平画素数の１／２０画素である５１画素以上の幅の隔離枠を、第１映像３１ａと第２映像３１ｂそれぞれに表示する。【００８０】
これは、例えば、スクリーン４全体に表示された映像に重ねるように、上記２つの映像３１ａ、３１ｂを小さめに表示した場合、全体映像の影響を受けてしまう場合があり得るので、それを回避するためである。すなわち、本実施の形態は、上述の各実施の形態の図のように２つの映像３１ａ、３１ｂをスクリーン４全体に広げて表示するのではなく、図１０のようにスクリーン４全体よりも小さめに表示する場合を前提とする。【００８１】
この場合の隔離枠４０の幅としては、表示全体の水平または垂直画素数の１／２０〜１／１０画素になるようにするのが望ましい。【００８２】
以上のように、本実施の形態の画像処理装置によれば、映像外周の隔離枠４０により、並べた全体映像から離して表示することで、全体映像の影響を受けることなく、ユーザーは正確な映像調整を行うことができる。【００８３】
なお、実施の形態４の場合と同様、外周の隔離枠４０の色は無彩色に近い色の方が、映像に視覚的な影響を与えないので望ましい。【００８４】
また、本実施の形態では一例としてＸＧＡの解像度を前提として説明したが、他の解像度の場合でも同様の効果が得られる。
【産業上の利用可能性】
【００８５】
本発明の画像表示装置は、映像調整を行うために対比する２つの映像を並べて表示したときの視覚的効果の影響が少なく、ユーザーの望む調整が容易になるので、特にユーザーが映像調整をするプロジェクタ等の画像表示装置に有用である。
【図１】
2009050846.tif 000003
【図２】
2009050846.tif 000004
【図３】
2009050846.tif 000005
【図４】
2009050846.tif 000006
【図５】
2009050846.tif 000007
【図６】
2009050846.tif 000008
【図７】
2009050846.tif 000009
【図８】
2009050846.tif 000010
【図９】
2009050846.tif 000011
【図１０】
2009050846.tif 000012
【図１１】
2009050846.tif 000013
【手続補正書】
【提出日】平成20年12月11日(2008.12.11)
【手続補正１】
【補正対象書類名】特許請求の範囲
【補正対象項目名】全文
【補正方法】変更
【補正の内容】
【特許請求の範囲】
【請求項１】
入力信号に基づき映像を表示する表示部と、
前記映像のパラメータを調整する映像調整部と、
前記映像のパラメータを調整する領域を選択する領域選択部とを備え、
前記表示部は、
前記選択された領域の映像から、パラメータを調整する前の第１映像および調整を行うための第２映像を構成し、前記第１映像と前記第２映像を上下または左右に並べて表示するとともに、
前記第１映像と前記第２映像のいずれかを上下または左右に反転表示することが可能であることを特徴とする画像表示装置。
【請求項２】
前記パラメータには明度が含まれる請求項１記載の画像表示装置。
【請求項３】
前記選択した領域の左右または上下の輝度差を検出する輝度差検出部を備え、前記検出した輝度差に基づき、上下または左右に反転表示するか否かが制御される請求項１記載の画像表示装置。
【請求項４】
前記選択した領域の左右または上下の色差を検出する色差検出部を備え、前記検出した色差に基づき、上下または左右に反転表示するか否かが制御される請求項１記載の画像表示装置。
【請求項５】
前記表示部は、前記第１映像と前記第２映像の間に、全体映像の水平または垂直画素数の１／２０〜１／１０画素の幅の境界線を表示する請求項１記載の画像表示装置。
【請求項６】
前記表示部は、前記第１映像または前記第２映像の外周部に、全体映像の水平または垂直画素数の１／２０〜１／１０の画素の幅の隔離枠を設けて表示する請求項１記載の画像表示装置。
【請求項７】
前記表示手段は、前記第１映像または前記第２映像を、両映像の境界線に向かう方向に移動させ、重なり合う部分を削除することで、比較したい箇所を近接させて表示する請求項１記載の画像表示装置。
【請求項８】
入力信号に基づき映像を表示する表示ステップと、
前記映像のパラメータを調整する映像調整ステップと、
前記映像のパラメータを調整する領域を選択する領域選択ステップとを備え、
前記表示ステップでは、
前記選択された領域の映像から、パラメータを調整する前の第１映像と調整を行うための第２映像を構成し、前記第１映像と前記第２映像を上下または左右に並べて表示するとともに、
前記第１映像と前記第２映像のいずれかを上下または左右に反転表示することを特徴とする画像表示方法。
【手続補正２】
【補正対象書類名】明細書
【補正対象項目名】全文
【補正方法】変更
【補正の内容】
【発明の詳細な説明】
【技術分野】
【０００１】
本発明は、画像を出力するプロジェクタ装置などの画像表示装置、及び画像表示方法に関し、特に映像調整を容易にするための技術に関する。
【背景技術】
【０００２】
従来、プロジェクタ装置などの画像表示装置においては、映像を表示して、ユーザーが映像を好みの映像に調整する際に、調整前の映像と調整用の映像とを比較できるように表示し、調整用の映像を調整した結果を補正データとして表示映像に反映することが行われている。
【０００３】
このような映像調整に関する技術の一つに、特許文献１に開示されている映像補正システムがある。図１１は、特許文献１に開示されている映像補正システムの表示画面を示す図である。
【０００４】
図に示すように、画面上で色補正やノイズ除去を行うための手段として、参照用ウィンドウＲＷと作業用ウィンドウＷＷの２つの画面を並べて表示する。２つの画面を見比べながら、操作ツールバーＴＢを使用して補正作業を行う。これから補正する画像を作業用ウィンドウＷＷに表示させ、参照用ウィンドウＲＷには関連する正常なフレームよりデータを貼り付けて、補正作業を行う。
【０００５】
このようにして、ユーザーにとってわかりやすく簡単な操作で映像の調整を行うことができ、また、位置や色の不安定性も簡単に補正することができる。
【特許文献１】特開２００２−２６２２１８号公報
【発明の開示】
【発明が解決しようとする課題】
【０００６】
しかしながら、上記従来のような補正方法では、映像の対比による視覚的効果により、補正を行う映像が補正前の映像の影響を受けてしまい、正確な補正が行えないという問題があった。映像の対比による視覚的効果とは、例えば暗から明のグラデーションを有する映像であれば、２つの映像が接する明の部分はより明るく感じられることである。
【０００７】
人間が物を見る状態を考慮する際には、視覚効果を考えなければならない。特許文献１のように、単純に画面上に作業用ウィンドウと参照用ウィンドウを表示させ、作業用ウィンドウに補正を加えるだけでは、人間の視覚特性の影響により参照用ウィンドウと補正前の作業用ウィンドウでは同じ画像にはならない。従って、正確な映像調整をすることが困難である。
【０００８】
このような視覚効果による影響は、プロジェクタ装置などの大画面表示を行う画像表示装置において特に顕著になる。
【０００９】
上記問題に鑑み、本発明は、調整のために対比する映像を左右または上下に並べて表示するときに、人間の視覚特性の影響を排除して、正確な画質調整をする事が可能な画像表示装置及び画像表示方法を提供することを目的とする。
【課題を解決するための手段】
【００１０】
上記従来の課題を解決するために、本発明の画像表示装置は、入力信号に基づき映像を表示する表示部と、前記映像のパラメータを調整する映像調整部と、前記映像のパラメータを調整する領域を選択する領域選択部とを備え、前記表示部は、前記選択された領域の映像から、パラメータを調整する前の第１映像および調整を行うための第２映像を構成し、前記第１映像と前記第２映像を上下または左右に並べて表示するとともに、前記第１映像と前記第２映像のいずれかを上下または左右に反転表示することが可能であることを特徴とする。
【００１１】
本発明の画像表示方法は、入力信号に基づき映像を表示する表示ステップと、前記映像のパラメータを調整する映像調整ステップと、前記映像のパラメータを調整する領域を選択する領域選択ステップとを備え、前記表示ステップでは、前記選択された領域の映像から、パラメータを調整する前の第１映像と調整を行うための第２映像を構成し、前記第１映像と前記第２映像を上下または左右に並べて表示するとともに、前記第１映像と前記第２映像のいずれかを上下または左右に反転表示することを特徴とする。
【発明の効果】
【００１２】
上記構成の画像表示装置または画像表示方法によれば、第１映像と第２映像のいずれかを上下または左右に反転表示することにより、映像同士の同じ箇所が近接するため、人間の視覚特性の影響が軽減され、正確な映像調整が可能になる。
【発明を実施するための最良の形態】
【００１３】
本発明は、上記構成を基本として、以下のような態様をとることができる。
【００１４】
すなわち、上記構成の画像表示装置において、前記パラメータには明度を含むことが好ましい。最も視覚効果の影響が大きい明度を調整することにより、正確な映像調整が可能である。
【００１５】
また、前記選択した領域の左右または上下の輝度差を検出する輝度差検出部を備え、前記検出した輝度差に基づき、上下または左右に反転表示するか否かが制御されることが好ましい。それにより、映像調整する際の映像表示を適切に行うことができる。
【００１６】
また、前記選択した領域の左右または上下の色差を検出する色差検出部を備え、前記検出した色差に基づき、上下または左右に反転表示するか否かが制御されることが好ましい。それにより、映像調整する際の映像表示を適切に行うことができる。
【００１７】
また、前記表示部は、前記第１映像と前記第２映像の間に、全体映像の水平または垂直画素数の１／２０〜１／１０画素の幅の境界線を表示することが好ましい。並べた映像を所定幅隔離して表示することにより、人間の視覚特性の影響がさらに軽減される。
【００１８】
また前記表示部は、前記第１映像または前記第２映像の外周部に、全体映像の水平または垂直画素数の１／２０〜１／１０の画素の幅の隔離枠を設けて表示することが好ましい。全体映像から所定幅隔離して表示することにより、人間の視覚特性の影響がさらに軽減される。
【００１９】
また、前記表示手段は、前記第１映像または前記第２映像を、両映像の境界線に向かう方向に移動させ、重なり合う部分を削除することで、比較したい箇所を近接させて表示することが好ましい。
【００２０】
以下、本発明に係る画像表示装置及び画像表示方法の実施の形態について、プロジェクタ装置を例にとり、図面を参照しながら説明する。
【００２１】
（実施の形態１）
図１は、画像表示装置としてプロジェクタ装置を使用した画像表示システムを示す構成図である。図２は、同プロジェクタ装置の外観図、図３は本発明の実施の形態１に係るプロジェクタ装置の表示回路を示すブロック図である。
【００２２】
図１に示すように、画像表示システムにおけるプロジェクタ装置１は、映像ケーブル３を用いてパーソナルコンピュータ２と接続されている。プロジェクタ装置１には、パーソナルコンピュータ２が出力する映像信号が、映像ケーブル３を介して伝送される。伝送された映像信号は信号処理されて、内蔵された液晶パネル（図示せず）に展開されてスクリーン４に投影される。
【００２３】
プロジェクタ装置１の筐体には、一例として図２に示すように、ＶＩＤＥＯ端子５、Ｓ−ＶＩＤＥＯ端子６、ＲＧＢ／ＹＰｂＰｒ端子７、リモコン受光部８、投写レンズ９、方向キー１０、決定ボタン１１、及び外光センサ１２が設けられている。ＲＧＢ／ＹＰｂＰｒ入力端子７により、パーソナルコンピュータ２が出力する輝度信号Ｙ、色差信号Ｐｂ、色差信号Ｐｒの伝送を受ける。外光センサ１２は、プロジェクタ装置１の周囲の外光照度を検出する。リモートコントローラ１３は、プロジェクタ装置１を離れた位置から操作するために使用され、プロジェクタ装置１の方向キー１０や、決定ボタン１１と同じ操作を行うことができるキー、ボタンが設けられている。
【００２４】
パーソナルコンピュータ２が出力する映像信号が表す画像の解像度は、以下の説明では、１画面に１０２４×７６８個の画素を含むＸＧＡ（Ｅｘｔｅｎｄｅｄ  Ｇｒａｐｈｉｃｓ  Ａｒｒａｙ）の場合を例とする。また、プロジェクタ装置１は、各画素について、最低輝度から最高輝度までを１０２４階調で表す仕様に基づく構成を例とする。
【００２５】
次に、本発明の実施の形態１におけるプロジェクタ装置１の表示回路１４について、詳細ブロック図である図３を参照しながら説明する。
【００２６】
ＶＩＤＥＯ端子５は、ＮＴＳＣ方式のコンポジットビデオ信号を入力するための端子である。Ｓ−ＶＩＤＥＯ端子６は、Ｓビデオ信号を入力するための端子である。ＲＧＢ／ＹＰｂＰｒ端子７は、ＲＧＢ信号またはＹＰｂＰｒ信号を入力するための端子である。
【００２７】
入力セレクタ１５は、ＶＩＤＥＯ端子５から入力されたコンポジットビデオ信号、Ｓ−ＶＩＤＥＯ端子６から入力されたＳビデオ信号の内から、何れかの信号を選択する機能を有する。
【００２８】
Ｙ／Ｃ分離回路１６は、カラーデコーダ１７によって入力されたコンポジットビデオ信号を、Ｙ信号とＣ信号とに分離するための回路である。カラーデコーダ１７は、Ｙ／Ｃ分離された信号、または入力されたＹ／Ｃ信号をＹＰｂＰｒ信号にカラーデコードする機能を有する。
【００２９】
マトリクス回路１８は、ＲＧＢ／ＹＰｂＰｒ端子７から入力されたＹＰｂＰｒ信号をＲＧＢ信号へ変換する際に、マトリクス処理を行う機能を有する。入力セレクタ１９は、ＲＧＢ／ＹＰｂＰｒ端子７から入力されたＲＧＢ信号、マトリクス回路１８によって生成されたＲＧＢ信号の内から、何れかの信号を選択する機能を有する。
【００３０】
入力セレクタ２０は、カラーデコーダ１７によって生成されたＹＰｂＰｒ信号、入力セレクタ１９によって入力されたＲＧＢ信号の内から、何れかのアナログ信号を選択する機能を有する。Ａ／Ｄコンバータ２１は、入力セレクタ２０によって選択されたアナログ信号を、１０ｂｉｔのデジタル信号へＡ／Ｄコンバートする機能を有する。
【００３１】
リサイズ・フリーズ・オンスクリーン発生回路２２は、Ａ／Ｄコンバータ２１によってＡ／Ｄコンバートされたデジタル信号を、後述するＬＣＤ（Ｌｉｑｕｉｄ  Ｃｒｙｓｔａｌ  Ｄｉｓｐｌａｙ）パネル２９ａ〜２９ｃの画素数に応じてリサイズし、オンスクリーンを重畳させる機能を有する。また、この回路は映像の画質調整する機能も含んでいる。
【００３２】
輝度差検出回路２３、色差検出回路２４は、リサイズ・フリーズ・オンスクリーン発生回路２２が出力した映像データ内の輝度差、および色差をそれぞれ検出する回路である。色補正回路２５は、リサイズ・フリーズ・オンスクリーン発生回路２２が出力した映像データの色を補正する回路である。
【００３３】
メインマイコン２６は、電源（図示省略）制御、ファン（図示省略）制御、温度制御、入力切り換え制御など装置全体のあらゆる制御を行うとともに、色補正回路２５の制御を行う。外部インタフェース２７は、ＰＣなどの外部入力装置からの制御信号等を通信する部分である。
【００３４】
デジタル相展開回路２８ａ〜２８ｃは、ＬＣＤパネル２９ａ〜２９ｃの駆動ドライバ（図示省略）の動作速度に対応させて、デジタル信号を相展開するための機能を有する。パネル駆動ＩＣ（Ｉｎｔｅｇｒａｔｅｄ  Ｃｉｒｃｕｉｔ）３０は、ＬＣＤパネル２９ａ〜２９ｃを駆動するための機能を有する。
【００３５】
ＬＣＤパネル２９ａ〜２９ｃは、色補正回路２５によって色補正され、デジタル相展開回路２８ａ〜２８ｃによって相展開されたデジタル信号をカラー表示する。ＬＣＤパネル２９ａ〜２９ｃに表示されたデジタル信号は、投写レンズ９（図２参照）により、スクリーン４に投影される。
【００３６】
次に、本実施の形態のプロジェクタ装置１における、投影表示された映像の調整方法について、映像表示画面を示す図４〜図７を参照して説明する。
【００３７】
まず、図３に示す表示回路１４および図２に示す投写レンズ９により、図１に示すスクリーン４に映像が投影表示される。その後、表示映像内の調整したい領域を選択するための領域選択枠３１が表示される。その領域選択枠３１を、図２に示すプロジェクタ装置１の方向キー１０やリモートコントローラ１３を操作して移動させ、調整しようとする部分に合致したら決定ボタン１１やリモートコントローラ１３で確定する。
【００３８】
それにより、領域選択枠３１により選択された領域の映像から、パラメータ調整する前の第１映像３１ａと、映像調整を行う為の第２映像３１ｂが構成され、スクリーン４の表示が図５に示す状態になる。この図では、境界線３２を境に、左側にパラメータ調整する前の第１映像３１ａが、右側に映像調整を行う為の第２映像３１ｂが表示されている。
【００３９】
左側の第１映像３１ａは、左右反転して表示されている。右側の第２映像３１ｂには、映像調整手段として映像調整用パラメータ表示画面３３が表示される。映像調整用パラメータ表示画面３３は、彩度（色の濃さ）調整バー３４、色相（色あい）調整バー３５、明度（明るさ）調整バー３６を備えている。
【００４０】
これらの調整バーを、方向キー１０やリモートコントローラ１３を操作して動かすと、右側の第２映像３１ｂが変化し、ユーザーが望む映像になったときに、決定ボタン１１やリモートコントローラ１３で決定する事で、調整内容が映像全体に反映される。
【００４１】
例えば、ユーザーが空の色をもっと明るく、かつ鮮やかにしたいと思えば、明度調整バー３６と彩度調整バー３４を操作する事で、所望の映像にする事が出来る。
【００４２】
ここで左側の第１映像３１ａを左右反転させているのは、パラメータを調整する前の映像と、調整を行うための映像を並べた時に、人間の視覚特性の影響で異なった映像に見える事があるからである。
【００４３】
例えば、特に大画面において顕著であるが、人間は明るさの差が大きい映像を並べて表示されると、暗い映像はより暗く、明るい映像はより明るく感じる特性がある。これに対して、一方の映像を反転させることにより、映像同士の同じ箇所が近接するため、明るさに差がなく、それぞれの映像が近接する他方の映像の影響を受けることがなくなる。
【００４４】
上述の説明では、一例として、一方の映像を左右反転する構成を示したが、図６のように、映像の選択範囲によっては、上下の境界線３７に対して、調整する前の第１映像３１ｃと調整を行う為の映像３１ｄを上下に並べてもよい。この場合は、一方の映像を上下反転することにより、上述と同様の効果が得られる。また、反転する映像としては、調整する前の映像、または調整を行う為の映像のどちらを選択してもよい。
【００４５】
以上のように、本実施の形態の画像処理装置であるプロジェクタ装置は、入力された映像に対して、映像のパラメータを調整する映像調整手段と、映像の調整する領域を選択する領域選択手段とを備える。選択された領域を、パラメータを調整する前の映像と、調整を行うための映像として、上下または左右に並べて表示するとともに、並べて表示した映像のいずれかを上下または左右に反転表示することで、ユーザーが、望む画質調整を正確に行うことが可能となる。
【００４６】
また図７のように、左右に並べた映像を境界線３２に向かって移動させ、重なり合う部分を削除することで、比較したい箇所を近接させるようにすることもできる。上下に並べる場合も同様である。
【００４７】
（実施の形態２）
本発明の実施形態２の画像処理装置であるプロジェクタ装置は、実施の形態１のプロジェクタ装置と基本構成は同じである。すなわち、入力された映像を表示する表示回路１４を備え、映像のパラメータを調整する映像調整手段としての映像調整用パラメータ表示画面３３と、映像の調整する領域を選択する領域選択手段である領域選択枠３１とを表示する。表示回路１４は更に、選択された領域を、パラメータを調整する前の第１映像３１ａと、調整を行うための第２映像３１ｂとして、上下または左右に並べて表示するとともに、並べて表示した映像のいずれかを上下または左右に反転させる動作が可能である。
【００４８】
本実施の形態では、第１映像３１ａと第２映像３１ｂを並べて表示する際に、上下または左右の反転を一律には行わない点が、実施の形態１と相違する。すなわち、映像の状態に応じて反転を行う。
【００４９】
以下、本実施の形態について、実施の形態１のプロジェクタ装置との相違点を中心に説明する。図８は、本実施の形態のプロジェクタ装置における映像調整画面を示す図である。
【００５０】
実施の形態１との相違は、以下のとおりである。すなわち、このプロジェクタ装置では、選択した領域の左右または上下に検出領域３８ａ、３８ｂが設けられ、この検出領域３８ａ、３８ｂの輝度差が検出される。そして、検出された輝度差に応じて、一方の映像の上下または左右を反転するかしないかが決定される。
【００５１】
次に、本実施の形態で使用する輝度差検出方法について説明する。まず、境界線３２より右側の第２映像３１ｂに対して、その映像の左右の検出領域３８ａ、３８ｂの輝度差を、輝度差検出回路２３（図３参照）において検出する。その輝度差が所定値より大きい場合にのみ、一方の映像を左右反転し、輝度差が所定値以下の場合は反転しないように制御する。それにより、視覚的に異なった映像に見えない状態を確保する。
【００５２】
例えば、表示解像度がＸＧＡの場合（水平１０２４、垂直７６８画素）、調整を行う為に選択した領域（領域選択枠３１内の領域）の大きさを、水平５１１画素、垂直７６８画素とする。この映像の左右の検出領域３８ａ、３８ｂの大きさを、水平１０２画素、垂直７６８画素とする。
【００５３】
例えば、左右それぞれの検出領域３８ａ、３８ｂの加算平均した輝度がそれぞれ、２５６／１０２４階調、５１３／１０２４階調とすると、その輝度差は２５７／１０２４階調となる。例えば所定値を１９２／１０２４階調と設定した場合、輝度差が所定値より大きいので、第１映像３１ａを左右に反転して表示する。
【００５４】
一方、検出領域３８ａ、３８ｂの加算平均した輝度がそれぞれ、２５６／１０２４階調、１２８／１０２４階調とすると、その輝度差は１２８／１０２４階調となる。従って、輝度差が所定値の１９２／１０２４階調よりも小さいので、第１映像３１ａを左右に反転しないでそのまま表示する。
【００５５】
以上のように、本実施の形態の画像処理装置によれば、選択した領域の左右または上下の輝度差を検出する手段を備え、検出した輝度差に応じて、一方の映像を上下または左右に反転するかしないかを選択する事で、ユーザーが簡単または正確に映像調整を行うことができる。
【００５６】
なお、本実施の形態では一例としてＸＧＡの解像度を前提として説明したが、他の解像度の場合でも同様の効果が得られる。また、本実施の形態では、輝度が１０２４階調の場合を例として説明したが、２５６階調、あるいは他の階調でも、同様に効果を得ることができる。
【００５７】
（実施の形態３）
本発明の実施形態３の画像処理装置であるプロジェクタ装置は、実施の形態２のプロジェクタ装置と基本構成は同じである。本実施の形態においても、パラメータを調整する前の第１映像３１ａと調整を行うための第２映像３１ｂを並べて表示する際に、上下または左右を反転する操作を一律には行わず、映像の状態に応じて反転を行う。
【００５８】
以下、本実施の形態について、実施の形態２のプロジェクタ装置との相違点を中心に説明する。本実施の形態のプロジェクタ装置における映像調整画面を示す図は、実施の形態２の図８と同様である。但し、選択した領域の左右または上下の検出領域３８ａ、３８ｂを、色差を検出する領域とし、検出した色差に応じて、一方の映像を上下または左右に反転するかしないかが決定される点が、実施の形態２のプロジェクタ装置と異なる。
【００５９】
次に、本実施の形態で使用する色差検出方法について説明する。まず、境界線３２より右側の第２映像３１ｂに対して、その映像の左右の検出領域３８ａ、３８ｂの色差を、色差検出回路２４にて検出する。その色差が所定値より大きい場合にのみ、一方の映像を左右反転し、色差が所定値以下の場合は反転しないように制御する。それにより、視覚的に異なった映像に見えない状態を確保する。
【００６０】
例えば、表示解像度がＸＧＡの場合（水平１０２４垂直７６８画素）、調整を行う為に選択した領域の大きさを、水平５１１画素、垂直７６８画素とする。この映像の左右の検出領域３８ａ、３８ｂの大きさを、水平１０２画素、垂直７６８画素とする。
【００６１】
例えば、左側の検出領域３８ａの加算平均した色について、Ｒｅｄが２５６／１０２４階調、Ｇｒｅｅｎが０／１０２４階調、Ｂｌｕｅが０／１０２４階調であり、同様に右側検出領域３８ｂにおいては、Ｒｅｄが０／１０２４階調、Ｇｒｅｅｎが０／１０２４階調、Ｂｌｕｅが２５６／１０２４階調とする。この場合の色差は、Ｒｅｄが２５６／１０２４階調、Ｇｒｅｅｎが０／１０２４階調、Ｂｌｕｅが２５６／１０２４階調となる。例えば所定値を１９２／１０２４階調としていた場合、ＲｅｄとＢｌｕｅの色差が大きいので、第１映像３１ａを左右に反転して表示する。
【００６２】
一方、左側の検出領域３８ａの加算平均した色について、Ｒｅｄが２５６／１０２４階調、Ｇｒｅｅｎが０／１０２４階調、Ｂｌｕｅが０／１０２４階調であり、同様に右側検出領域３８ｂにおいては、Ｒｅｄが１２８／１０２４階調、Ｇｒｅｅｎが０／１０２４階調、Ｂｌｕｅが１２８／１０２４階調とすると、その色差は１２８／１０２４階調となる。この場合は、色差が所定値の１９２／１０２４階調よりも小さいので、第１映像３１ａを左右に反転しないでそのまま表示する。
【００６３】
以上のように、本実施の形態の画像処理装置によれば、選択した領域の左右または上下の色差を検出する手段を備え、検出した色差に応じて、一方の映像を上下または左右に反転するかしないかを選択する事で、ユーザーが簡単または正確に映像調整を行うことができる。
【００６４】
なお、本実施の形態では一例としてＸＧＡの解像度を前提としたが、他の解像度の場合でも同様の効果が得られる。また、本実施の形態では、輝度が１０２４階調の場合を例として説明したが、２５６階調でも他の階調でも、同様に効果を得ることができる。また、本実施の形態では、Ｒｅｄ、Ｇｒｅｅｎ、Ｂｌｕｅの色で比較した場合を説明したが、Ｙ、Ｐｂ、Ｐｒでも同様に本発明を適用できる。
【００６５】
（実施の形態４）
本発明の実施形態４の画像処理装置であるプロジェクタ装置は、実施の形態１のプロジェクタ装置と基本構成は同じである。
【００６６】
すなわち、入力された映像を表示する表示回路１４を備え、映像のパラメータを調整する映像調整手段としての映像調整用パラメータ表示画面３３と、映像の調整する領域を選択する領域選択手段である領域選択枠３１とを表示する。表示回路１４は更に、選択された領域を、パラメータを調整する前の第１映像３１ａと、調整を行うための第２映像３１ｂとして、上下または左右に並べて表示するとともに、並べて表示した映像のいずれかを上下または左右に反転させる動作が可能である。本実施の形態では、映像調整画面の形態が、実施の形態１の場合と相違する。
【００６７】
以下、本実施の形態について、実施の形態１のプロジェクタ装置との相違点を中心に説明する。図９は、実施の形態４のプロジェクタ装置における映像調整画面を示す図である。実施の形態１の画像処理装置と異なるところは、境界線３９の幅を広げ、水平または垂直画素数の１／２０〜１／１０の画素数の幅とした点である。
【００６８】
次に、本実施の形態における水平または垂直画素数の境界線３９について説明する。例えば、ＸＧＡの場合（水平１０２４垂直７６８画素）に、水平画素数の１／１０画素である１０２画素の幅の境界線３９を表示する。そして、第１映像３１ａと第２映像３１ｂを、境界線３９の左右に表示する。
【００６９】
これは、２つの映像を近接させて表示した場合、互いに異なる明度や彩度の部分に影響を受けてしまうことが考えられるので、それを回避するためである。
【００７０】
また、明るさや色の濃さの差が大きくなるような調整を行うと、視覚的効果により、実際より差が大きく見えてしまい、正確に調整ができなくなる。このような問題も、境界線３９で２つの映像を隔離することにより回避可能である。
【００７１】
この場合の境界線３９の幅としては、表示全体の水平または垂直画素数の１／２０〜１／１０画素になるようにすることが望ましい。
【００７２】
以上のように、本実施の形態の画像処理装置によれば、境界線３９により、並べた映像を近接させず所定幅だけ隔離して表示することにより、２つの映像が互いに影響を受けることが軽減されるため、ユーザーは正確な映像調整をする事ができる。
【００７３】
なお、さらに映像に視覚的な影響を与えないようにするためには、境界線３９の色は無彩色に近い色の方が望ましい。
【００７４】
また、本実施の形態では一例としてＸＧＡの解像度を前提にして説明したが、他の解像度の場合でも同様の効果が得られる。
【００７５】
（実施の形態５）
本発明の実施形態５の画像処理装置であるプロジェクタ装置は、実施の形態１の画像処理装置と基本構成は同じである。
【００７６】
以下、本実施の形態について、実施の形態１のプロジェクタ装置との相違点を中心に説明する。図１０は、実施の形態５のプロジェクタ装置における映像調整画面を示す図である。実施の形態１の画像処理装置と異なるところは、映像の外周部に所定幅の隔離枠４０を設けた点である。
【００７７】
次に、本実施の形態における映像外周の隔離枠４０について説明する。例えば、ＸＧＡの場合（水平１０２４垂直７６８画素）に、水平画素数の１／２０画素である５１画素以上の幅の隔離枠を、第１映像３１ａと第２映像３１ｂそれぞれに表示する。
【００７８】
これは、例えば、スクリーン４全体に表示された映像に重ねるように、上記２つの映像３１ａ、３１ｂを小さめに表示した場合、全体映像の影響を受けてしまう場合があり得るので、それを回避するためである。すなわち、本実施の形態は、上述の各実施の形態の図のように２つの映像３１ａ、３１ｂをスクリーン４全体に広げて表示するのではなく、図１０のようにスクリーン４全体よりも小さめに表示する場合を前提とする。
【００７９】
この場合の隔離枠４０の幅としては、表示全体の水平または垂直画素数の１／２０〜１／１０画素になるようにするのが望ましい。
【００８０】
以上のように、本実施の形態の画像処理装置によれば、映像外周の隔離枠４０により、並べた全体映像から離して表示することで、全体映像の影響を受けることなく、ユーザーは正確な映像調整を行うことができる。
【００８１】
なお、実施の形態４の場合と同様、外周の隔離枠４０の色は無彩色に近い色の方が、映像に視覚的な影響を与えないので望ましい。
【００８２】
また、本実施の形態では一例としてＸＧＡの解像度を前提として説明したが、他の解像度の場合でも同様の効果が得られる。
【産業上の利用可能性】
【００８３】
本発明の画像表示装置は、映像調整を行うために対比する２つの映像を並べて表示したときの視覚的効果の影響が少なく、ユーザーの望む調整が容易になるので、特にユーザーが映像調整をするプロジェクタ等の画像表示装置に有用である。
【図面の簡単な説明】
【００８４】
【図１】画像表示装置としてプロジェクタ装置を使用した画像表示システムの構成を示す斜視図
【図２】プロジェクタ装置の斜視図
【図３】本発明の実施の形態１のプロジェクタ装置の表示回路を示すブロック図
【図４】同プロジェクタ装置の映像表示画面を示す図
【図５】同プロジェクタ装置の映像調整画面を示す図
【図６】同プロジェクタ装置の他の映像調整画面を示す図
【図７】同プロジェクタ装置の更に他の映像調整画面を示す図
【図８】本発明の実施の形態２または３のプロジェクタ装置の映像調整画面を示す図
【図９】本発明の実施の形態４のプロジェクタ装置の映像調整画面を示す図
【図１０】本発明の実施の形態５のプロジェクタ装置の映像調整画面を示す図
【図１１】従来の画像表示装置における表示画面を示す図
【符号の説明】
【００８５】
１  プロジェクタ装置
２  パーソナルコンピュータ
３  映像ケーブル
４  スクリーン
５  ＶＩＤＥＯ端子
６  Ｓ−ＶＩＤＥＯ端子
７  ＲＧＢ／ＹＰｂＰｒ入力端子
８  リモコン受光部
９  投写レンズ
１０  方向キー
１１  決定ボタン
１２  外光センサ
１３  リモートコントローラ
１４  表示回路
１５  入力セレクタ
１６  Ｙ／Ｃ分離回路
１７  カラーデコーダ
１８  マトリクス回路
１９  入力セレクタ
２０  入力セレクタ
２１  Ａ／Ｄコンバータ
２２  リサイズ・フリーズ・オンスクリーン発生回路
２３  輝度差検出回路
２４  色差検出回路
２５  色補正回路
２６  メインマイコン
２７  外部インタフェース
２８ａ〜２８ｃ  デジタル相展開回路
２９ａ〜２９ｃ  ＬＣＤパネル
３０  パネル駆動ＩＣ
３１  領域選択枠
３１ａ、３１ｃ  第１映像
３１ｂ、３１ｄ  第２映像
３２、３７、３９  境界線
３３  映像調整用パラメータ表示画面
３４  彩度調整バー
３５  色相調整バー
３６  明度調整バー
３８ａ、３８ｂ  検出領域
４０  隔離枠
【手続補正３】
【補正対象書類名】図面
【補正対象項目名】全図
【補正方法】変更
【補正の内容】
【図１】
2009050846.tif 000014
【図２】
2009050846.tif 000015
【図３】
2009050846.tif 000016
【図４】
2009050846.tif 000017
【図５】
2009050846.tif 000018
【図６】
2009050846.tif 000019
【図７】
2009050846.tif 000020
【図８】
2009050846.tif 000021
【図９】
2009050846.tif 000022
【図１０】
2009050846.tif 000023
【図１１】
2009050846.tif 000024
【国際調査報告】
2009050846.tif 000025
2009050846.tif 000026
2009050846.tif 000027
2009050846.tif 000028